【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
撮像手段と、該撮像手段が取得した画像が表示される画像表示画面と、撮像装置の傾斜を検知する傾斜検知手段とを備え、前記撮像装置の傾斜の度合いを示す傾斜報知表示を前記撮像手段が取得した画像と重ねて前記画像表示画面に表示する撮像装置であって、
前記傾斜報知表示は、所定の基準方向に沿って並列された複数の傾斜表示片部を含み、
前記傾斜検知手段が検知した傾斜が所定角度範囲内である場合に、複数の前記傾斜表示片部の上縁部を架け渡す上縁線と複数の前記傾斜表示片部の下縁部を架け渡す下縁線と複数の前記傾斜表示片部のうち中央に位置する一つとを一体的に強調して水平状態報知を行い、かつ前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調することを特徴とする撮像装置。
【請求項２】
撮像手段と、該撮像手段が取得した画像が表示される画像表示画面と、撮像装置の傾斜を検知する傾斜検知手段とを備え、傾斜の度合いを示す傾斜報知表示を前記撮像手段が取得した画像と重ねて前記画像表示画面に表示する撮像装置であって、
前記傾斜報知表示は、所定の基準方向に沿って並列された複数の傾斜表示片部を含み、
前記傾斜検知手段が検知した傾斜が、所定角度範囲内である場合に、複数の前記傾斜表示片部の上縁側に隣接して配置される上縁直線と複数の前記傾斜表示片部の下縁側に隣接して配置される下縁直線と複数の前記傾斜表示片部のうち中央に位置する一つとを一体的に強調して水平状態報知を行い、かつ前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調することを特徴とする撮像装置。
【請求項３】
前記傾斜報知表示は、前記撮像装置が複数の前記傾斜表示片部における最外側に相当する傾斜の度合いよりも大きく傾斜している場合に、最外側の複数の前記傾斜表示片部の一つを強調するとともに傾斜された側の複数の前記傾斜表示片部の上縁部および複数の前記傾斜表示片部の下縁部を一斉に強調して傾斜過度報知を行い、前記撮像装置が複数の前記傾斜表示片部における最外側に相当する傾斜の度合い以下の傾斜となると再び前記傾斜検知手段が検知した傾斜の大きさに応じて複数の前記傾斜表示片部のうちのいずれか一つを強調することを特徴とする請求項１または請求項２に記載の撮像装置。
【請求項４】
前記傾斜報知表示は、前記撮像装置が前記基準方向に直交する平面内で見て所定の角度を超えて傾斜している場合に、複数の前記傾斜表示片の上縁部および複数の前記傾斜表示片の下縁部を一斉に強調してあおり過度報知を行うことを特徴とする請求項１ないし請求項３のいずれか１項に記載の撮像装置。
【請求項５】
前記傾斜報知表示は、複数の前記傾斜表示片部のうち中央に位置する一つであることを指し示す照準指示部を有することを特徴とする請求項１ないし請求項４のいずれか１項に記載の撮像装置。
【請求項６】
前記傾斜報知表示では、前記水平状態報知を行うときと、前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調するときとで、互いに異なる色彩で強調することを特徴とする請求項１ないし請求項５のいずれか１項に記載の撮像装置。
【請求項７】
前記傾斜報知表示では、前記水平状態報知を行うときと、前記傾斜過度報知を行うときと、前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調するときとで、互いに異なる彩色で強調することを特徴とする請求項３ないし請求項６のいずれか１項に記載の撮像装置。
【請求項８】
前記取得画像は、長方形状を呈し、
前記基準方向は、前記取得画像が横位置の場合と縦位置の場合とで個別に設定されていることを特徴とする請求項１ないし請求項７のいずれか１項に記載の撮像装置。
【請求項９】
前記画像表示画面では、重力方向の下側に位置する辺部の近傍に前記傾斜報知表示が表示されることを特徴とする請求項８に記載の撮像装置。
【請求項１０】
前記傾斜報知表示は、少なくとも一部が透かし表示とされていることを特徴とする請求項１ないし請求項９のいずれか１項に記載の撮像装置。
【請求項１１】
請求項１ないし請求項１０のいずれか１項に記載の撮像装置であって、
さらに、撮影指示のための操作部を備え、該操作部への撮影指示に応じて撮影を行うことを特徴とする撮像装置。
【請求項１２】
撮像手段と、該撮像手段が取得した画像が表示される画像表示画面と、撮像装置の傾斜を検知する傾斜検知手段とを備える撮像装置の制御部に、前記撮像装置の傾斜の度合いを示す傾斜報知表示を前記撮像手段が取得した画像と重ねて前記画像表示画面に表示する機能を実現させるためのプログラムであって、
前記傾斜検知手段からの出力信号に基づいて、前記撮像装置の傾斜を判断する機能と、
所定の基準方向に沿って並列された複数の傾斜表示片部を、前記傾斜報知表示として前記画像表示画面に表示する機能と、
前記傾斜報知表示において、前記傾斜検知手段が検知した傾斜が所定角度範囲内である場合に、複数の前記傾斜表示片部の上縁部を架け渡す上縁線と複数の前記傾斜表示片部の下縁部を架け渡す下縁線と複数の前記傾斜表示片部のうち中央に位置する一つとを一体的に強調して水平状態報知を行う機能と、
前記傾斜報知表示において、前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調する機能と、
を実現させることを特徴とするプログラム。
【請求項１３】
撮像手段と、該撮像手段が取得した画像が表示される画像表示画面と、撮像装置の傾斜を検知する傾斜検知手段とを備える撮像装置の制御部に、傾斜の度合いを示す傾斜報知表示を前記撮像手段が取得した画像と重ねて前記画像表示画面に表示する機能を実現させるためのプログラムであって、
前記傾斜検知手段からの出力信号に基づいて、傾斜を判断する機能と、
所定の基準方向に沿って並列された複数の傾斜表示片部を、前記傾斜報知表示として前記画像表示画面に表示する機能と、
前記傾斜報知表示において、前記傾斜検知手段が検知した傾斜が、所定角度範囲内である場合に、複数の前記傾斜表示片部の上縁側に隣接して配置される上縁直線と複数の前記傾斜表示片部の下縁側に隣接して配置される下縁直線と複数の前記傾斜表示片部のうち中央に位置する一つとを一体的に強調して水平状態報知を行う機能と、
前記傾斜報知表示において、前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調する機能と、
を実現させることを特徴とするプログラム。
【請求項１４】
前記傾斜報知表示において、前記撮像装置が複数の前記傾斜表示片部における最外側に相当する傾斜の度合いよりも大きく傾斜している場合に、最外側の複数の前記傾斜表示片部の一つを強調するとともに傾斜された側の複数の前記傾斜表示片部の上縁部および複数の前記傾斜表示片部の下縁部を一斉に強調して傾斜過度報知を行う機能と、
前記傾斜報知表示において、前記撮像装置が複数の前記傾斜表示片部における最外側に相当する傾斜の度合い以下の傾斜となると再び前記傾斜検知手段が検知した傾斜の大きさに応じて複数の前記傾斜表示片部のうちのいずれか一つを強調する機能と、
を実現させることを特徴とする請求項１２または請求項１３に記載のプログラム。
【請求項１５】
前記傾斜報知表示において、前記撮像装置が前記基準方向に直交する平面内で見て所定の角度を超えて傾斜している場合に、複数の前記傾斜表示片の上縁部および複数の前記傾斜表示片の下縁部を一斉に強調してあおり過度報知を行う機能を実現させることを特徴とする請求項１２ないし請求項１４のいずれか１項に記載のプログラム。
【請求項１６】
前記傾斜報知表示を前記画像表示画面に表示させつつ、前記撮像装置が備える操作部への撮影指示に応じて前記撮像手段による撮影を行わせる機能を実現させることを特徴とする請求項１２ないし請求項１５のいずれか１項に記載のプログラム。
【請求項１７】
撮像手段と、該撮像手段が取得した画像が表示される画像表示画面と、撮像装置の傾斜を検知する傾斜検知手段と、前記撮像装置の傾斜の度合いを示す傾斜報知表示を前記撮像手段が取得した画像と重ねて前記画像表示画面に表示する表示制御手段と、を備える撮像装置の角度表示方法であって、
前記表示制御手段は、前記傾斜報知表示として、所定の基準方向に沿って並列された複数の傾斜表示片部を、前記画像表示画面に表示し、
前記傾斜検知手段からの出力信号に基づいて、前記撮像装置の傾斜を判断する工程と、
前記傾斜検知手段が検知した傾斜が所定角度範囲内である場合に、複数の前記傾斜表示片部の上縁部を架け渡す上縁線と複数の前記傾斜表示片部の下縁部を架け渡す下縁線と複数の前記傾斜表示片部のうち中央に位置する一つとを一体的に強調して水平状態報知を行う工程と、
前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調する工程と、
を含むことを特徴とする角度表示方法。
【請求項１８】
撮像手段と、該撮像手段が取得した画像が表示される画像表示画面と、撮像装置の傾斜を検知する傾斜検知手段と、傾斜の度合いを示す傾斜報知表示を前記撮像手段が取得した画像と重ねて前記画像表示画面に表示する表示制御手段と、を備える撮像装置の角度表示方法であって、
前記表示制御手段は、前記傾斜報知表示として、所定の基準方向に沿って並列された複数の傾斜表示片部を、前記画像表示画面に表示し、
前記傾斜検知手段からの出力信号に基づいて、前記撮像装置の傾斜を判断する工程と、
前記傾斜検知手段が検知した傾斜が、所定角度範囲内である場合に、複数の前記傾斜表示片部の上縁側に隣接して配置される上縁直線と複数の前記傾斜表示片部の下縁側に隣接して配置される下縁直線と複数の前記傾斜表示片部のうち中央に位置する一つとを一体的に強調して水平状態報知を行う工程と、
前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調する工程と、
を含むことを特徴とする角度表示方法。
【請求項１９】
前記撮像装置が複数の前記傾斜表示片部における最外側に相当する傾斜の度合いよりも大きく傾斜している場合に、最外側の複数の前記傾斜表示片部の一つを強調するとともに傾斜された側の複数の前記傾斜表示片部の上縁部および複数の前記傾斜表示片部の下縁部を一斉に強調して傾斜過度報知を行う工程と、
前記撮像装置が複数の前記傾斜表示片部における最外側に相当する傾斜の度合い以下の傾斜となると再び前記傾斜検知手段が検知した傾斜の大きさに応じて複数の前記傾斜表示片部のうちのいずれか一つを強調する工程と、
を含むことを特徴とする請求項１７または請求項１８に記載の角度表示方法。
【請求項２０】
前記撮像装置が前記基準方向に直交する平面内で見て所定の角度を超えて傾斜している場合に、複数の前記傾斜表示片の上縁部および複数の前記傾斜表示片の下縁部を一斉に強調してあおり過度報知を行う工程を含むことを特徴とする請求項１７ないし請求項１９のいずれか１項に記載の角度表示方法。
【請求項２１】
前記撮像装置が備える操作部への撮影指示に応じて撮影を行う際にも、前記傾斜報知表示の前記画像表示画面への表示を行うことを特徴とする請求項１７ないし請求項２０のいずれか１項に記載の角度表示方法。
【手続補正２】
【補正対象書類名】明細書
【補正対象項目名】００１０
【補正方法】変更
【補正の内容】
【００１０】
上記課題を解決するため、請求項１に係る発明は、撮像手段と、該撮像手段が取得した画像が表示される画像表示画面と、撮像装置の傾斜を検知する傾斜検知手段とを備え、前記撮像装置の傾斜の度合いを示す傾斜報知表示を前記撮像手段が取得した画像と重ねて前記画像表示画面に表示する撮像装置であって、前記傾斜報知表示は、所定の基準方向に沿って並列された複数の傾斜表示片部を含み、前記傾斜検知手段が検知した傾斜が所定角度範囲内である場合に、複数の前記傾斜表示片部の上縁部を架け渡す上縁線と複数の前記傾斜表示片部の下縁部を架け渡す下縁線と複数の前記傾斜表示片部のうち中央に位置する一つとを一体的に強調して水平状態報知を行い、かつ前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調することを特徴とする。
請求項２に係る発明は、撮像手段と、該撮像手段が取得した画像が表示される画像表示画面と、撮像装置の傾斜を検知する傾斜検知手段とを備え、傾斜の度合いを示す傾斜報知表示を前記撮像手段が取得した画像と重ねて前記画像表示画面に表示する撮像装置であって、前記傾斜報知表示は、所定の基準方向に沿って並列された複数の傾斜表示片部を含み、前記傾斜検知手段が検知した傾斜が、所定角度範囲内である場合に、複数の前記傾斜表示片部の上縁側に隣接して配置される上縁直線と複数の前記傾斜表示片部の下縁側に隣接して配置される下縁直線と複数の前記傾斜表示片部のうち中央に位置する一つとを一体的に強調して水平状態報知を行い、かつ前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調することを特徴とする。
【手続補正３】
【補正対象書類名】明細書
【補正対象項目名】００１１
【補正方法】変更
【補正の内容】
【００１１】
請求項３に係る発明は、請求項１または請求項２に記載の撮像装置であって、前記傾斜報知表示は、前記撮像装置が複数の前記傾斜表示片部における最外側に相当する傾斜の度合いよりも大きく傾斜している場合に、最外側の複数の前記傾斜表示片部の一つを強調するとともに傾斜された側の複数の前記傾斜表示片部の上縁部および複数の前記傾斜表示片部の下縁部を一斉に強調して傾斜過度報知を行い、前記撮像装置が複数の前記傾斜表示片部における最外側に相当する傾斜の度合い以下の傾斜となると再び前記傾斜検知手段が検知した傾斜の大きさに応じて複数の前記傾斜表示片部のうちのいずれか一つを強調することを特徴とする。
請求項４に係る発明は、請求項１ないし請求項３のいずれか１項に記載の撮像装置であって、前記傾斜報知表示は、前記撮像装置が前記基準方向に直交する平面内で見て所定の角度を超えて傾斜している場合に、複数の前記傾斜表示片の上縁部および複数の前記傾斜表示片の下縁部を一斉に強調してあおり過度報知を行うことを特徴とする。
【手続補正４】
【補正対象書類名】明細書
【補正対象項目名】００１２
【補正方法】変更
【補正の内容】
【００１２】
請求項５に係る発明は、請求項１ないし請求項４のいずれか１項に記載の撮像装置であって、前記傾斜報知表示は、複数の前記傾斜表示片部のうち中央に位置する一つであることを指し示す照準指示部を有することを特徴とする。
【手続補正５】
【補正対象書類名】明細書
【補正対象項目名】００１３
【補正方法】変更
【補正の内容】
【００１３】
請求項６に係る発明は、請求項１ないし請求項５のいずれか１項に記載の撮像装置であって、前記傾斜報知表示では、前記水平状態報知を行うときと、前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調するときとで、互いに異なる色彩で強調することを特徴とする。
【手続補正６】
【補正対象書類名】明細書
【補正対象項目名】００１４
【補正方法】変更
【補正の内容】
【００１４】
請求項７に係る発明は、請求項３ないし請求項６のいずれか１項に記載の撮像装置であって、前記傾斜報知表示では、前記水平状態報知を行うときと、前記傾斜過度報知を行うときと、前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調するときとで、互いに異なる彩色で強調することを特徴とする。
【手続補正７】
【補正対象書類名】明細書
【補正対象項目名】００１５
【補正方法】変更
【補正の内容】
【００１５】
請求項８に係る発明は、請求項１ないし請求項７のいずれか１項に記載の撮像装置であって、前記取得画像は、長方形状を呈し、前記基準方向は、前記取得画像が横位置の場合と縦位置の場合とで個別に設定されていることを特徴とする。
【手続補正８】
【補正対象書類名】明細書
【補正対象項目名】００１６
【補正方法】変更
【補正の内容】
【００１６】
請求項９に係る発明は、請求項８に記載の撮像装置であって、前記画像表示画面では、重力方向の下側に位置する辺部の近傍に前記傾斜報知表示が表示されることを特徴とする。
【手続補正９】
【補正対象書類名】明細書
【補正対象項目名】００１７
【補正方法】変更
【補正の内容】
【００１７】
請求項１０に係る発明は、請求項１ないし請求項９のいずれか１項に記載の撮像装置であって、前記傾斜報知表示は、少なくとも一部が透かし表示とされていることを特徴とする。
【手続補正１０】
【補正対象書類名】明細書
【補正対象項目名】００１８
【補正方法】変更
【補正の内容】
【００１８】
請求項１１に係る発明は、請求項１ないし請求項１０のいずれか１項に記載の撮像装置であって、さらに、撮影指示のための操作部を備え、該操作部への撮影指示に応じて撮影を行うことを特徴とする。
【手続補正１１】
【補正対象書類名】明細書
【補正対象項目名】００１９
【補正方法】変更
【補正の内容】
【００１９】
請求項１２に係る発明は、撮像手段と、該撮像手段が取得した画像が表示される画像表示画面と、撮像装置の傾斜を検知する傾斜検知手段とを備える撮像装置の制御部に、前記撮像装置の傾斜の度合いを示す傾斜報知表示を前記撮像手段が取得した画像と重ねて前記画像表示画面に表示する機能を実現させるためのプログラムであって、前記傾斜検知手段からの出力信号に基づいて、前記撮像装置の傾斜を判断する機能と、所定の基準方向に沿って並列された複数の傾斜表示片部を、前記傾斜報知表示として前記画像表示画面に表示する機能と、前記傾斜報知表示において、前記傾斜検知手段が検知した傾斜が所定角度範囲内である場合に、複数の前記傾斜表示片部の上縁部を架け渡す上縁線と複数の前記傾斜表示片部の下縁部を架け渡す下縁線と複数の前記傾斜表示片部のうち中央に位置する一つとを一体的に強調して水平状態報知を行う機能と、前記傾斜報知表示において、前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調する機能と、を実現させることを特徴とする。
請求項１３に係る発明は、撮像手段と、該撮像手段が取得した画像が表示される画像表示画面と、撮像装置の傾斜を検知する傾斜検知手段とを備える撮像装置の制御部に、傾斜の度合いを示す傾斜報知表示を前記撮像手段が取得した画像と重ねて前記画像表示画面に表示する機能を実現させるためのプログラムであって、前記傾斜検知手段からの出力信号に基づいて、傾斜を判断する機能と、所定の基準方向に沿って並列された複数の傾斜表示片部を、前記傾斜報知表示として前記画像表示画面に表示する機能と、前記傾斜報知表示において、前記傾斜検知手段が検知した傾斜が、所定角度範囲内である場合に、複数の前記傾斜表示片部の上縁側に隣接して配置される上縁直線と複数の前記傾斜表示片部の下縁側に隣接して配置される下縁直線と複数の前記傾斜表示片部のうち中央に位置する一つとを一体的に強調して水平状態報知を行う機能と、前記傾斜報知表示において、前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調する機能と、を実現させることを特徴とする。
【手続補正１２】
【補正対象書類名】明細書
【補正対象項目名】００２０
【補正方法】変更
【補正の内容】
【００２０】
請求項１４に係る発明は、請求項１２または請求項１３に記載のプログラムであって、前記傾斜報知表示において、前記撮像装置が複数の前記傾斜表示片部における最外側に相当する傾斜の度合いよりも大きく傾斜している場合に、最外側の複数の前記傾斜表示片部の一つを強調するとともに傾斜された側の複数の前記傾斜表示片部の上縁部および複数の前記傾斜表示片部の下縁部を一斉に強調して傾斜過度報知を行う機能と、前記傾斜報知表示において、前記撮像装置が複数の前記傾斜表示片部における最外側に相当する傾斜の度合い以下の傾斜となると再び前記傾斜検知手段が検知した傾斜の大きさに応じて複数の前記傾斜表示片部のうちのいずれか一つを強調する機能と、を実現させることを特徴とする。
請求項１５に係る発明は、請求項１２ないし請求項１４のいずれか１項に記載のプログラムであって、前記傾斜報知表示において、前記撮像装置が前記基準方向に直交する平面内で見て所定の角度を超えて傾斜している場合に、複数の前記傾斜表示片の上縁部および複数の前記傾斜表示片の下縁部を一斉に強調してあおり過度報知を行う機能を実現させることを特徴とする。
【手続補正１３】
【補正対象書類名】明細書
【補正対象項目名】００２１
【補正方法】変更
【補正の内容】
【００２１】
請求項１６に係る発明は、請求項１２ないし請求項１５のいずれか１項に記載のプログラムであって、前記傾斜報知表示を前記画像表示画面に表示させつつ、前記撮像装置が備える操作部への撮影指示に応じて前記撮像手段による撮影を行わせる機能を実現させることを特徴とする。
【手続補正１４】
【補正対象書類名】明細書
【補正対象項目名】００２２
【補正方法】変更
【補正の内容】
【００２２】
請求項１７に係る発明は、撮像手段と、該撮像手段が取得した画像が表示される画像表示画面と、撮像装置の傾斜を検知する傾斜検知手段と、前記撮像装置の傾斜の度合いを示す傾斜報知表示を前記撮像手段が取得した画像と重ねて前記画像表示画面に表示する表示制御手段と、を備える撮像装置の角度表示方法であって、前記表示制御手段は、前記傾斜報知表示として、所定の基準方向に沿って並列された複数の傾斜表示片部を、前記画像表示画面に表示し、前記傾斜検知手段からの出力信号に基づいて、前記撮像装置の傾斜を判断する工程と、前記傾斜検知手段が検知した傾斜が所定角度範囲内である場合に、複数の前記傾斜表示片部の上縁部を架け渡す上縁線と複数の前記傾斜表示片部の下縁部を架け渡す下縁線と複数の前記傾斜表示片部のうち中央に位置する一つとを一体的に強調して水平状態報知を行う工程と、前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調する工程と、を含むことを特徴とする。
請求項１８に係る発明は、撮像手段と、該撮像手段が取得した画像が表示される画像表示画面と、撮像装置の傾斜を検知する傾斜検知手段と、傾斜の度合いを示す傾斜報知表示を前記撮像手段が取得した画像と重ねて前記画像表示画面に表示する表示制御手段と、を備える撮像装置の角度表示方法であって、前記表示制御手段は、前記傾斜報知表示として、所定の基準方向に沿って並列された複数の傾斜表示片部を、前記画像表示画面に表示し、前記傾斜検知手段からの出力信号に基づいて、前記撮像装置の傾斜を判断する工程と、前記傾斜検知手段が検知した傾斜が、所定角度範囲内である場合に、複数の前記傾斜表示片部の上縁側に隣接して配置される上縁直線と複数の前記傾斜表示片部の下縁側に隣接して配置される下縁直線と複数の前記傾斜表示片部のうち中央に位置する一つとを一体的に強調して水平状態報知を行う工程と、前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調する工程と、を含むことを特徴とする。
【手続補正１５】
【補正対象書類名】明細書
【補正対象項目名】００２３
【補正方法】変更
【補正の内容】
【００２３】
請求項１９に係る発明は、請求項１７または請求項１８に記載の角度表示方法であって、前記撮像装置が複数の前記傾斜表示片部における最外側に相当する傾斜の度合いよりも大きく傾斜している場合に、最外側の複数の前記傾斜表示片部の一つを強調するとともに傾斜された側の複数の前記傾斜表示片部の上縁部および複数の前記傾斜表示片部の下縁部を一斉に強調して傾斜過度報知を行う工程と、前記撮像装置が複数の前記傾斜表示片部における最外側に相当する傾斜の度合い以下の傾斜となると再び前記傾斜検知手段が検知した傾斜の大きさに応じて複数の前記傾斜表示片部のうちのいずれか一つを強調する工程と、を含むことを特徴とする。
請求項２０に係る発明は、請求項１７ないし請求項１９のいずれか１項に記載の角度表示方法であって、前記撮像装置が前記基準方向に直交する平面内で見て所定の角度を超えて傾斜している場合に、複数の前記傾斜表示片の上縁部および複数の前記傾斜表示片の下縁部を一斉に強調してあおり過度報知を行う工程を含むことを特徴とする。
【手続補正１６】
【補正対象書類名】明細書
【補正対象項目名】００２４
【補正方法】変更
【補正の内容】
【００２４】
請求項２１に係る発明は、請求項１７ないし請求項２０のいずれか１項に記載の角度表示方法であって、前記撮像装置が備える操作部への撮影指示に応じて撮影を行う際にも、前記傾斜報知表示の前記画像表示画面への表示を行うことを特徴とする。
【手続補正１７】
【補正対象書類名】明細書
【補正対象項目名】００２５
【補正方法】変更
【補正の内容】
【００２５】
本発明に係る撮像装置では、傾斜報知表示において、撮像装置が所定角度範囲内で傾斜したときに、複数の傾斜表示片部の上縁部を架け渡す上縁線と複数の傾斜表示片部の下縁部を架け渡す下縁線と複数の傾斜表示片部のうち中央に位置する一つとを一体的に強調することで水平状態報知が為されるものであることから、撮像装置本体を完全に固定しなくても指標表示部により強調される個所が変化することを防止できるので、使用者が煩わしさを覚えることなく、水平状態を容易に把握することができる。
【手続補正１８】
【補正対象書類名】明細書
【補正対象項目名】００２６
【補正方法】変更
【補正の内容】
【００２６】
また、この撮像装置では、傾斜度合いを示す傾斜報知表示が、所定の基準方向に沿って並列された複数の傾斜表示片のうち、傾斜の大きさに応じて上方へと変位された側のいずれか一つの傾斜表示片を強調するものとすると、この指標表示部が液体中の気泡により傾きを検知する水準器の気泡の動きと似通うこととなるので、使用者にとって馴染みのあるものとなり、傾斜度合いの認識をより容易なものとすることができる。